(57)【要約】      （修正有）【課題】ユーザが削除する意図がない画像データの削除する可能性を抑制しつつ、記録媒体から効率よく画像データを削除できる画像処理装置を提供する。【解決手段】画像処理装置１００は、記録媒体１０７に記録される複数の画像データをグループに分類する分類手段１１２と、記録媒体１０７から特定のグループに分類された画像データを削除する削除手段１１６、１１７とを有する。削除手段１１６、１１７は、記録媒体１０７から特定のグループに分類された画像データを削除する場合、特定のグループに含まれる一部の画像データを削除せずに記録媒体１０７に残す。【選択図】図１
2020137060.tif 000002
【特許請求の範囲】
【請求項１】
記録媒体に記録される複数の画像データをグループに分類する分類手段と、
前記記録媒体から特定のグループに分類された画像データを削除する削除手段と、
を有し、
前記削除手段は、前記記録媒体から前記特定のグループに分類された画像データを削除する場合、前記特定のグループに含まれる一部の画像データを削除せずに前記記録媒体に残す、
ことを特徴とする画像処理装置。
【請求項２】
前記特定のグループは、ユーザにより削除対象として選択されたグループである、
ことを特徴とする請求項１に記載の画像処理装置。
【請求項３】
前記分類手段は、連続撮像による複数の画像データを、連続撮像での撮像順にしたがって複数のグループに分類して前記記録媒体に記録する際に、一部の画像データを撮像順で隣接する複数のグループに重複して分類し、
前記削除手段は、前記記録媒体からグループを削除する場合、他のグループに重複して分類される画像データを前記記録媒体から削除せずに前記記録媒体に残す、
ことを特徴とする請求項１または２記載の画像処理装置。
【請求項４】
前記分類手段は、前記グループにおいて撮像順の最初の画像データおよび最後の画像データを含む一部の画像データを、撮像順で隣接する前後のグループと重複して分類して前記記録媒体に記録する、
ことを特徴とする請求項３記載の画像処理装置。
【請求項５】
前記分類手段は、各グループの代表画像データとして、グループ削除の際にグループとともに削除される１つの画像データを選択して前記記録媒体に記録し、
前記代表画像データを、各グループの画像として表示する表示手段、を有する、
ことを特徴とする請求項３または４記載の画像処理装置。
【請求項６】
前記分類手段は、前記グループにおいて撮像順の中央付近の画像データを、前記代表画像データとして選択して前記記録媒体に記録する、
ことを特徴とする請求項３から５のいずれか一項記載の画像処理装置。
【請求項７】
前記削除手段は、前記グループに含まれる複数の画像データを個別に削除する場合、他のグループに重複して分類されている画像データであっても前記記録媒体から削除する、
ことを特徴とする請求項３から６のいずれか一項記載の画像処理装置。
【請求項８】
前記分類手段は、１回の連続撮像による複数の画像データを、１つの連写グループに分類するとともに、前記連写グループにおいて複数のサブグループに分類して前記記録媒体に記録し、
前記連写グループを表示する表示手段、を有し、
前記表示手段は、表示している前記連写グループが選択された場合に、複数の前記サブグループを表示する、
ことを特徴とする請求項３から７のいずれか一項記載の画像処理装置。
【請求項９】
前記分類手段は、１回の連続撮像による複数の画像データに対して、前記連続撮像での撮像順を示す撮像番号を対応付けて前記記録媒体に記録し、
前記表示手段は、表示する前記サブグループに対して、それぞれに含まれる複数の画像データについての撮像番号を、対応付けて表示する、
ことを特徴とする請求項８記載の画像処理装置。
【請求項１０】
前記表示手段は、表示する前記サブグループに対して、それぞれに含まれる撮像順の最初の画像データの撮像番号と、最後の画像データの撮像番号とを、対応付けて表示する、
ことを特徴とする請求項８または９記載の画像処理装置。
【請求項１１】
記録媒体に複数の画像データをグループに分類して記録することができる画像処理装置の制御方法であって、
前記記録媒体からグループごとに複数の画像データを削除する指示を取得する取得工程と、
指示を取得した削除対象の前記グループとともに前記グループに含まれる複数の画像データを削除する削除工程と、
を有し、
前記削除工程では、前記記録媒体からグループを削除する場合に、削除するグループに含まれる一部の画像データを前記記録媒体から削除せずに前記記録媒体に残す、
ことを特徴とする画像処理装置の制御方法。
【請求項１２】
記録媒体に複数の画像データをグループに分類して記録することができる画像処理装置の制御方法をコンピュータに実行させるプログラムであって、
前記画像処理装置の制御方法は、
前記記録媒体からグループごとに複数の画像データを削除する指示を取得する取得工程と、
指示を取得した削除対象の前記グループとともに前記グループに含まれる複数の画像データを削除する削除工程と、
を有し、
前記削除工程では、前記記録媒体からグループを削除する場合に、削除するグループに含まれる一部の画像データを前記記録媒体から削除せずに前記記録媒体に残す、
ことを特徴とするプログラム。
【発明の詳細な説明】
【技術分野】
【０００１】
本発明は、画像処理装置に関する。
【背景技術】
【０００２】
画像処理装置には、たとえば撮像による複数の画像データを記録媒体に記録するものがある。この場合、画像処理装置では、ユーザの削除操作などに基づいて、記録媒体から画像データを削除できるようにすることが望ましい。特に、たとえば移動体のベストショットを撮像するために複数の画像データを連続的に撮像して記録する場合、画像処理装置では、記録媒体から画像データを削除できるようにすることが望まれる。
【先行技術文献】
【特許文献】
【０００３】
【特許文献１】特開２００９−１２４４９２号公報
【発明の概要】
【発明が解決しようとする課題】
【０００４】
しかしながら、たとえば連続的に撮像された複数の画像データを、ユーザが１つずつ削除操作できるようにするだけでは、ユーザにとって削除操作が手間になる。そこで、特許文献１のように、連続して撮像された複数の画像データを、複数のグループに分割し、グループごとに記録媒体から画像データを削除できるようにすることが考えられる。しかしながら、単に特許文献１のように、連続して撮像された複数の画像データを、複数のグループに分割してグループごとに削除できるようにした場合、ユーザは、グループの削除操作の際に、それに含まれる画像データを確認しない可能性がある。この場合、削除対象とするグループに、ユーザが削除する意図がない画像データが含まれ、そのような画像データをグループとともに削除してしまう可能性がある。
【０００５】
このように、画像処理装置では、ユーザが削除する意図がない画像データの削除する可能性を抑制しつつ、記録媒体から効率よく画像データを削除できるようにして、ユーザの利便性を高めることが求められている。
【課題を解決するための手段】
【０００６】
本発明に係る画像処理装置は、記録媒体に記録される複数の画像データをグループに分類する分類手段と、前記記録媒体から特定のグループに分類された画像データを削除する削除手段と、を有し、前記削除手段は、前記記録媒体から前記特定のグループに分類された画像データを削除する場合、前記特定のグループに含まれる一部の画像データを削除せずに前記記録媒体に残す。
【発明の効果】
【０００７】
本発明の画像処理装置では、ユーザが削除する意図がない画像データの削除する可能性を抑制しつつ、記録媒体から効率よく画像データを削除できるようにして、ユーザの利便性を高めることが期待できる。
【図面の簡単な説明】
【０００８】
【図１】本発明の第一実施形態に係る画像処理装置としての撮像装置のブロック図である。
【図２】図１の撮像装置により連続的に撮像される複数の画像データおよびそのグループ分けの説明図である。
【図３】図１の撮像装置において連続して撮像した複数の画像データについての画像記録処理のフローチャートである。
【図４】図１の撮像装置の記録媒体から、連続して撮像した複数の画像データを削除する処理のフローチャートである。
【図５】複数のグループと、グループ化されていない個別の画像とを表示する画像例の説明図である。
【図６】本発明の第二実施形態に係る画像処理装置としての撮像装置のブロック図である。
【図７】図６の撮像装置の記録媒体から、連続して撮像した複数の画像データを削除する処理のフローチャートである。
【図８】１つのグループに含まれる複数の画像データを表示する画像例の説明図である。
【図９】本発明の第三実施形態に係る画像処理装置としての撮像装置のブロック図である。
【図１０】図９の撮像装置において連続して撮像した複数の画像データについての画像記録処理のフローチャートである。
【図１１】連射グループと、グループ化されていない個別の画像とを表示する画像例の説明図である。
【図１２】１つの連射グループに含まれる複数のサブグループを表示する画像例の説明図である。
【発明を実施するための形態】
【０００９】
以下、本発明の実施形態について図面を参照しながら詳細に説明する。しかしながら、以下の実施形態に記載されている構成はあくまで例示に過ぎず、本発明の範囲は実施形態に記載されている構成によって限定されることはない。
【００１０】
［第一実施形態］
図１は、本発明の第一実施形態に係る画像処理装置としての撮像装置１００のブロック図である。図１の撮像装置１００は、レンズ１０１、撮像素子１０２、Ａ／Ｄ変換器１０３、ＣＰＵ１０４、メモリ１０５、表示デバイス１０６、記録媒体１０７、を有する。撮像素子１０２は、レンズ１０１を通じて集光される被写体の像を撮像し、被写体を撮像した撮像信号を生成する。Ａ／Ｄ変換器１０３は、撮像素子１０２が生成した撮像信号を、画像データへ変換する。記録媒体１０７は、ＣＰＵ１０４に接続され、たとえば撮像装置１００に取り外し可能に装着される半導体メモリ、である。記録媒体１０７は、たとえば複数の画像データをグループに分類して記録することができる。表示デバイス１０６は、ＣＰＵ１０４に接続され、たとえば液晶表示デバイスである。表示デバイス１０６は、撮像した画像などを表示可能である。メモリ１０５は、ＣＰＵ１０４に接続され、たとえばハードディスクデバイス、半導体メモリデバイス、である。メモリ１０５は、プログラムおよびデータを記録する。ＣＰＵ１０４は、メモリ１０５からプロクラムを読み込んで実行する。これにより、ＣＰＵ１０４には、撮像装置１００の各部の動作を制御する制御部が実現される。制御部は、たとえば撮像装置１００の撮像動作、記録動作、表示動作、削除動作といった全体的な動作を制御する。
【００１１】
制御部としてのＣＰＵ１０４には、たとえば図１に示すように、画像処理部１１１、画像グループ付加部１１２、記録部１１３、表示制御部１１４、画像読出部１１５、画像グループ削除部１１６、画像削除部１１７、画像情報反映部１１８、が実現される。画像処理部１１１は、Ａ／Ｄ変換器１０３から画像データを取得し、記録用の画像データへ変換する。画像処理部１１１は、たとえばレンズ１０１および撮像素子１０２の光学特性に応じた補正処理を実行する。画像グループ付加部１１２は、分類手段として、連続した一度の撮像による記録用の画像データに対して、画像データのグループ情報を付加する。これにより、画像グループ付加部１１２は、複数の画像データをグループに分類する。グループ情報などは、各画像データのタグ情報に記録されてよい。また、画像グループ付加部１１２は、グループごとに複数の画像データから代表画像データを選択し、選択した代表画像データに、グループの代表画像を示す情報を付加してよい。記録部１１３は、記録用の画像データを、記録媒体１０７に記録する。これにより、撮像装置１００により撮像された複数の画像データが、記録媒体１０７に蓄積して保存される。記録部１１３は、複数の画像データを、たとえば撮像日時などのグループごとにフォルダに分類して、記録媒体１０７に記録してよい。表示制御部１１４は、表示デバイス１０６の表示を制御する。表示制御部１１４は、たとえば記録媒体１０７に記録されている複数の画像データをグループごとに読み出して、表示デバイス１０６にサムネイル表示する。画像読出部１１５は、記録媒体１０７から画像データを読み出す。画像グループ削除部１１６は、画像読出部１１５により読み出された画像データから、画像データのグループ情報の削除を指示する。画像削除部１１７は、削除されるグループに含まれる画像データについての削除を指示する。画像削除部１１７は、たとえば１つのグループを削除する際に、他のグループに含まれないことになる画像データについて、削除を指示する。画像情報反映部１１８は、削除手段として、画像グループ削除部１１６および画像削除部１１７の指示に基づいて、削除するグループ情報および画像データを記録媒体１０７から削除する。
【００１２】
図２は、図１の撮像装置１００により連続的に撮像される複数の画像データおよびそのグループ分けの説明図である。図２に示すように、撮像装置１００は、複数の画像データを連続的に撮像することができる。図２には、たとえば移動体のベストショットを撮像するための複数の画像データとして、１枚目から１００枚目までの１００枚の画像データが図示されている。図２は、１００枚の画像データ３０１〜３１２が３行のサムネイル画像により図示されている。１００枚の画像データが、記録媒体１０７に蓄積して記録されることになる。この場合、ユーザは、その後に、撮像装置１００の記録媒体１０７から不要な画像データを削除することが考えられる。ユーザは、１枚づつ撮像した通常の画像データと同様に撮像装置１００を操作して、記録媒体１０７から１枚づつ不要な画像データを削除選択することになる。このような削除操作は、ユーザにとって利便性が低い。このため、撮像装置１００は、連続的に撮像された複数の画像データを、複数のグループに分けて記録媒体１０７に記録する。また、撮像装置１００は、記録後の削除処理では、各グループの代表画像データを対比表示して、グループごとに複数の画像データをまとめて削除するように、ＣＰＵ１０４にまとめて削除処理させることが考えられる。しかしながら、単に、連続して撮像された複数の画像データを複数のグループに分割してグループごとに削除できるようにした場合、ユーザは、グループの削除操作の際に、それに含まれる画像データを確認しない可能性がある。削除対象とするグループに、ユーザが削除する意図がない画像データが含まれ、そのような画像データをグループとともに削除してしまう可能性がある。このように、撮像装置１００では、ユーザが削除する意図がない画像データの削除する可能性を抑制しつつ、記録媒体１０７から効率よく画像データを削除できるようにして、ユーザの利便性を高めることが求められている。撮像装置１００では、画像データを削除する際のユーザの手間を低減しつつ、ユーザが削除を意図していない画像データまで削除してしまうリスクを低減することが求められている。
【００１３】
図３は、図１の撮像装置１００において連続して撮像した複数の画像データについての画像記録処理のフローチャートである。ＣＰＵ１０４は、たとえば撮像装置１００が連続撮像動作をする場合、図３の処理を実行する。ステップＳ３０１において、画像処理部１１１としてのＣＰＵ１０４は、撮像素子１０２から、連続した撮像による複数の画像データを取得する。ステップＳ３０２において、ＣＰＵ１０４は、取得した連続撮像による複数の画像データを、記録用の複数の画像データへ変換する。ステップＳ３０３において、画像グループ付加部１１２としてのＣＰＵ１０４は、連続撮像に基づく記録用の複数の画像データに対して、複数の画像データを複数のグループに分けるためのグループ情報を付加する。また、ＣＰＵ１０４は、各グループについて代表画像データを選択し、選択した代表画像データについての情報を、画像データに付加する。ステップＳ３０４において、記録部１１３としてのＣＰＵ１０４は、情報を付加した複数の画像データを、記録媒体１０７に記録する。これにより、記録媒体１０７には、撮像装置１００により連続撮像した複数の画像データが、複数のグループに分けて記録される。たとえば図２の連続撮像による１００枚の画像データは、図３のＣＰＵ１０４の処理により、グループＡからグループＤの４つのグループに分類される。図２では、ＣＰＵ１０４は、複数の画像データを、撮像順の先頭から２５枚ごとに、グループに分ける。また、ＣＰＵ１０４は、撮像順で時系列的に隣り合うグループの間で、各々の５枚を重複させる。その結果、図２のグループＡには、ベースの１〜２５枚目の画像データと、隣接するグループＢの５枚の画像データとで構成される、１〜３０枚目の画像データが分類される。グループＢには、ベースの２６〜５０枚目の画像データと、隣接するグループＡの５枚の画像データと、隣接するグループＣの５枚の画像データと、で構成される、２１〜５５枚目の画像データが分類される。グループＣには、ベースの５１〜７５枚目の画像データと、隣接するグループＢの５枚の画像データと、隣接するグループＤの５枚の画像データと、で構成される、４６〜８０枚目の画像データが分類される。グループＤには、ベースの７６〜１００枚目の画像データと、隣接するグループＣの５枚の画像データとで構成される、７１〜１００枚目の画像データが分類される。また、ＣＰＵ１０４は、ベースとなる画像データのうちの先頭から１５枚目の画像データを、各グループの代表画像データとして選択する。図２では、３０２、３０５、３０８、３１１の符号を付した画像データが、グループＡからグループＤの４つのグループの代表画像データとなる。このように、連続撮像による複数の画像データを記録媒体１０７に記録する場合、ＣＰＵ１０４は、連続撮像での撮像順にしたがって複数のグループに分類し、一部の画像データが撮像順で隣接する複数のグループに重複して分類する。その結果、記録媒体１０７には、グループにおいて撮像順の最初の画像データおよび最後の画像データを含む一部の画像データが、撮像順で隣接する前後のグループと重複して分類される。また、ＣＰＵ１０４は、各グループの代表画像データとして、後述するようにグループ削除の際にグループとともに削除されることになる、各グループにおいて撮像順の中央付近の画像データを選択して、記録媒体１０７に記録する。
【００１４】
図４は、図１の撮像装置１００の記録媒体１０７から、連続して撮像した複数の画像データを削除する処理のフローチャートである。ＣＰＵ１０４は、連続して撮像した複数の画像データが記録媒体１０７に記録されている場合、図４の画像データの削除処理を実行する。ステップＳ４０１において、画像読出部１１５としてのＣＰＵ１０４は、記録媒体１０７から、保持されている画像データの情報を読み出す。ステップＳ４０２において、画像グループ削除部１１６としてのＣＰＵ１０４は、ユーザからのグループ削除指示の有無を判断する。グループ削除指示がない場合、ＣＰＵ１０４は、図４の処理を終了する。グループ削除指示がある場合、ＣＰＵ１０４は、処理をステップＳ４０３へ進める。ステップＳ４０３において、ＣＰＵ１０４は、削除が指示されたグループ情報を、読み出した画像データの情報から削除する。ステップＳ４０４において、画像削除部１１７としてのＣＰＵ１０４は、削除が指示されたグループを削除することにより、所属グループを一つも有していない状態になる画像データを抽出する。ＣＰＵ１０４は、抽出した画像データの情報を、読み出した画像データの情報から削除する。ステップＳ４０５において、画像情報反映部１１８としてのＣＰＵ１０４は、ステップＳ４０３およびステップＳ４０４の処理により更新された画像データの情報を用いて、記録媒体１０７からグループの情報および画像データを削除する。これにより、記録媒体１０７に記録される画像データおよびグループの情報は、削除が指示されたグループおよび画像データが削除された状態になる。たとえば図２のグループＣの削除が指示された場合、ＣＰＵ１０４は、グループＣに属する４６〜８０枚目の画像データのうちの、グループＣのみに属している５６〜７０枚目の画像データを記録媒体１０７から削除する。また、ＣＰＵ１０４は、他のグループにも属している４６〜５５枚目の画像データと７１〜８０枚目の画像データとから、グループＣの情報を、削除する。その結果、記録媒体１０７においてグループＢのみに属することになる４６〜５５枚目の画像データには、グループＢのみのグループ情報が付加される。グループＤのみに属することになる７１〜８０枚目の画像データには、グループＢのみのグループ情報が付加される。このように削除手段としてのＣＰＵ１０４は、記録媒体１０７からグループを削除する場合、削除するグループに含まれる一部の画像データを記録媒体１０７から削除しないで残す。ＣＰＵ１０４は、他のグループに重複して分類される画像データを記録媒体１０７から削除しないで残す。
【００１５】
図５は、複数のグループと、グループ化されていない個別の画像とを表示する画像例の説明図である。ＣＰＵ１０４は、記録媒体１０７に保存されている複数の画像データを、たとえば図５の画像により表示デバイス１０６に表示する。図５の表示画像において、単写で撮像されてグループ化されていない画像データは、その画像データのサムネイル画像５０１、５０２が表示される。グループ化された画像データは、グループごとのフォルダ５０３、５０４、５０５、５０６により表示される。各フォルダには、各グループの代表画像データ３０２，３０５，３０８，３１１がサムネイル画像により割り付けて表示される。図５には、図２のグループＡからグループＤに対応するグループごとのフォルダ５０３、５０４、５０５、５０６が表示されている。表示されている１つのフォルダのサムネイル画像をユーザが削除選択すると、ＣＰＵ１０４は、削除指定されたグループについての削除処理を、図４の処理により実行する。
【００１６】
以上のように、本実施形態において削除手段としてのＣＰＵ１０４は、記録媒体１０７からグループを削除する場合、削除するグループに含まれる画像データを記録媒体１０７から削除する。よって、ユーザは、少ない手間で、記録媒体１０７から複数の画像データをグループごとに効率よく削除することができる。しかも、本実施形態では、削除するグループに含まれる一部の画像データを記録媒体１０７から削除しないで残す。具体的には、他のグループにも属している一部の画像データを記録媒体１０７から削除しないで残す。フォルダのサムネイル画像との差が大きい可能性がある良好な画像データが、予め他のグループにも属するように分類されているため、サムネイル画像に基づく削除においては削除を意図していない画像データを、記録媒体１０７から削除されないようにできる。よって、ユーザが削除する意図がない画像データを、グループごとの削除により削除し難くできる。その結果、本実施形態では、ユーザの利便性を高めることが求められている。なお、画像グループ付加部１１２は、本実施形態と異なり、画像データ処理部の処理前の画像データに対して、グループの情報を付加してもよい。また、画像グループ付加部１１２は、本実施形態と異なり、グループの振り分け方、重複枚数、または代表画像データの決定方法を、たとえば画像データの評価値などに基づいて動的に変化させてもよい。これらの場合でも、本実施形態と同様の効果を得ることができる。
【００１７】
［第二実施形態］
次に、本発明の第二実施形態に係る撮像装置１００を説明する。本実施形態では、上述した実施形態と対応する構成要素については同一の符号を使用し、その説明を省略する。以下の説明では、主に上述した実施形態との相違点について説明する。
【００１８】
図６は、本発明の第二実施形態に係る画像処理装置としての撮像装置１００のブロック図である。図６の撮像装置１００における制御部としてのＣＰＵ１０４には、たとえば、画像処理部１１１、画像グループ付加部１１２、記録部１１３、表示制御部１１４、画像読出部１１５、が実現される。さらに、ＣＰＵ１０４には、画像グループ削除部１１６、画像削除部１１７、画像情報反映部１１８、削除処理選択部６０１、が実現される。削除処理選択部６０１は、記録媒体１０７からの削除処理を、グループ削除と、グループの個別の画像データの削除とのうちから選択する。たとえば、削除処理選択部６０１は、表示制御部１１４が表示デバイス１０６へ出力する表示画像に基づいて、削除対象のグループまたは画像データを選択する。画像グループ削除部１１６および画像削除部１１７は、削除処理選択部６０１の選択に基づいて、記録媒体１０７から取得した情報から、選択された対象の情報を、削除する。画像情報反映部１１８は、更新後の情報を用いて、記録媒体１０７から、削除対象のグループまたは画像データを削除する。
【００１９】
図７は、図６の撮像装置１００の記録媒体１０７から、連続して撮像した複数の画像データを削除する処理のフローチャートである。ＣＰＵ１０４は、連続して撮像した複数の画像データが記録媒体１０７に記録されている場合、図７の画像データの削除処理を実行する。図７において、ステップＳ４０１からステップＳ４０５の処理は、図４と同様であり、それらの説明を省略する。ステップＳ４０１の処理の後、ステップＳ７０１において、削除処理選択部６０１としてのＣＰＵ１０４は、１つのグループに属している複数の画像データを表示デバイス１０６に表示しているか否かを判断する。グループに属している複数の画像データを表示していない場合、ＣＰＵ１０４は、処理をステップＳ４０２へ進める。この場合、ＣＰＵ１０４は、図４と同様に、ステップＳ４０２においてグループ削除指示の有無を判断する。グループ削除指示がある場合、ＣＰＵ１０４は、ステップＳ４０３において、削除が指示されたグループ情報を、読み出した画像データの情報から削除する。ステップＳ７０３において、ＣＰＵ１０４は、削除が指示されたグループを削除することにより、所属グループを一つも有していない状態になる画像データを抽出し、その画像データの情報を、読み出した画像データの情報から削除する。ステップＳ４０５において、ＣＰＵ１０４は、ステップＳ４０３およびステップＳ７０３の処理により更新された画像データの情報を用いて、記録媒体１０７からグループの情報および画像データを削除する。
【００２０】
これに対し、ステップＳ７０１においてグループに属している複数の画像データを表示していると判断する場合、ＣＰＵ１０４は、処理をステップＳ７０２へ進める。ステップＳ７０２において、ＣＰＵ１０４は、表示している画像データについての削除指示の有無を判断する。画像データの削除指示がない場合、ＣＰＵ１０４は、図７の処理を終了する。画像データの削除指示がある場合、ＣＰＵ１０４は、処理をステップＳ７０３へ進める。ステップＳ７０３において、ＣＰＵ１０４は、削除が指示された画像データの情報を、読み出した画像データの情報から削除する。ステップＳ４０５において、ＣＰＵ１０４は、ステップＳ７０３の処理により更新された画像データの情報を用いて、記録媒体１０７から画像データを削除する。
【００２１】
図８は、１つのグループに含まれる複数の画像データを表示する画像例の説明図である。表示制御部１１４としてのＣＰＵ１０４は、表示しているグループのフォルダ５０５が表示選択された場合、記録媒体１０７から、選択されたグループに属する複数の画像データを読み込む。そして、ＣＰＵ１０４は、複数の画像データ３０６〜３０７，８０１，８０２をサムネイル画像により並べて表示する表示画像を生成して表示デバイス１０６に表示させる。たとえば図５の表示画像の中下のグループのフォルダ５０５が選択された場合、ＣＰＵ１０４は、選択されたグループＣに属する複数の画像データを読み込む。ＣＰＵ１０４は、複数の画像データ３０６〜３０７，８０１，８０２をサムネイル画像により並べて表示する図８の表示画像を生成して表示デバイス１０６に表示させる。図８の表示画像では、グループＣとともにグループＢにも属する画像データのサムネイル画像３０６〜３０７も表示される。図８において、グループＣに属する複数の画像データのサムネイル画像は、撮像順にしたがって図の左上から右下へ向かって横方向へ並べられている。この場合、左上の画像データ３０６から、下段中央の画像データ３０７までの１０枚の画像は、グループＢにも属する画像データのものとなる。これに対し、下段右側の画像データ８０１，８０２は、グループＣにのみ属する画像データのものである。そして、グループＣとともにグループＢにも属する左上の画像が選択された場合、ＣＰＵ１０４は、ステップＳ７０２において画像データの削除指示があると判断する。ＣＰＵ１０４は、ステップＳ７０２およびステップＳ７０２により、削除指示された画像データを記録媒体１０７から削除する。
【００２２】
以上のように、本実施形態において削除手段としてのＣＰＵ１０４は、グループに含まれる複数の画像データを個別に削除する場合、他のグループに重複して分類されている画像データであっても記録媒体１０７から削除することができる。しかも、本実施形態において削除手段としてのＣＰＵ１０４は、複数の画像データをグループごとに削除することができる。ユーザは、これらの削除手段を使い分けて、少ない手間で、記録媒体１０７から複数の画像データを効率よく削除することができる。
【００２３】
［第三実施形態］
次に、本発明の第三実施形態に係る撮像装置１００を説明する。本実施形態では、上述した実施形態と対応する構成要素については同一の符号を使用し、その説明を省略する。以下の説明では、主に上述した実施形態との相違点について説明する。
【００２４】
図９は、本発明の第三実施形態に係る画像処理装置としての撮像装置１００のブロック図である。図９の撮像装置１００における制御部としてのＣＰＵ１０４には、たとえば、画像処理部１１１、連写グループ付加部９０１、撮像番号付加部９０２、画像グループ付加部１１２、記録部１１３、が実現される。さらに、ＣＰＵ１０４には、表示制御部１１４、画像読出部１１５、画像グループ削除部１１６、画像削除部１１７、画像情報反映部１１８、削除処理選択部６０１、が実現される。連写グループ付加部９０１は、連続した一度の撮像による複数の記録用の画像データに対して、そのすべてを含む同一の連射グループのグループ情報を付加する。また、連写グループ付加部９０１は、連射グループごとに一連の複数の画像データから代表画像データを選択し、選択した代表画像データに、連射グループの代表画像を示す情報を付加してよい。撮像番号付加部９０２は、連続した一度の撮像による複数の記録用の画像データに対して、撮像順の先頭から順番にインクリメントされる撮像番号の情報を付加する。画像グループ付加部１１２は、連続した一度の撮像による記録用の画像データに対して、画像データのサブグループ情報を付加する。また、画像グループ付加部１１２は、サブグループごとに複数の画像データから代表画像データを選択し、選択した代表画像データに、サブグループの代表画像を示す情報を付加してよい。
【００２５】
図１０は、図９の撮像装置１００において連続して撮像した複数の画像データについての画像記録処理のフローチャートである。図１０において、ステップＳ３０１からステップＳ３０４の処理は、図３と同様であり、それらの説明を省略する。ステップＳ１００１において、連写グループ付加部９０１としてのＣＰＵ１０４は、連続した一度の撮像による複数の記録用の画像データに対して、そのすべてを含む同一の連射グループのグループ情報を付加する。また、ＣＰＵ１０４は、連射グループごとに一連の複数の画像データから代表画像データを選択し、選択した代表画像データに、連射グループの代表画像を示す情報を付加してよい。ステップＳ１００２において、撮像番号付加部９０２としてのＣＰＵ１０４は、連続した一度の撮像による複数の記録用の画像データに対して、撮像順の先頭から順番に１からインクリメントされる撮像番号の情報を付加する。図１０の処理により、連続した一度の撮像による各画像データには、連写グループの情報、撮像番号の情報、サブグループの情報が付加される。さらに、連射グループの代表画像データには、その情報が付加される。サブグループの代表画像データには、その情報が付加される。記録媒体１０７は、１回の連続撮像による複数の画像データを、１つの連写グループに分類するとともに、連写グループにおいて複数のサブグループに分類して記録する。記録媒体１０７は、１回の連続撮像による複数の画像データに対して、連続撮像での撮像順を示す撮像番号を対応付けて記録する。
【００２６】
図１１は、連射グループと、グループ化されていない個別の画像とを表示する画像例の説明図である。表示制御部１１４としてのＣＰＵ１０４は、図１１の表示画像を、表示デバイス１０６に表示する。表示デバイス１０６は、連写グループを表示する。図１１の表示画像において、単写で撮像されて連射グループ化されていない画像データ１１０１，１１０２，１１０４〜１１０６は、その画像データのサムネイル画像により表示される。連射グループは、連射グループごどのフォルダ１１０３により表示される。連射グループのフォルダ１１０３には、連射グループの代表画像データがサムネイル画像により表示される。表示されている１つの連射グループのフォルダ１１０３をユーザが削除選択すると、ＣＰＵ１０４は、削除選択された連射グループを記録媒体１０７から削除する。ＣＰＵ１０４は、たとえば図７のステップＳ４０３、Ｓ７０３、Ｓ４０５の処理により、削除選択された連射グループを記録媒体１０７から削除する。この場合、ＣＰＵ１０４は、削除選択された連射グループのすべての画像データが他の連射グループに共通して属していないため、連射グループに含まれるすべての画像データを記録媒体１０７から削除する。
【００２７】
図１２は、１つの連射グループに含まれる複数のサブグループを表示する画像例の説明図である。表示制御部１１４としてのＣＰＵ１０４は、図１２の表示画像を、表示デバイス１０６に表示する。表示手段としてのＣＰＵ１０４は、たとえば図１１に表示している連写グループ１１０３が選択された場合に、図１２に示すように複数のサブグループを表示する。図１２の表示画像において、１つの連射グループに含まれる複数のサブグループは、サブグループごとのフォルダ５０３〜５０６により表示される。サブグループごとのフォルダ５０３〜５０６には、サブグループごとの代表画像データ３０２，３０５，３０８，３１１がサムネイル画像により表示される。サブグループごとのフォルダ５０３〜５０６には、サブグループに含まれる複数の画像データについての撮像番号の範囲１２０１〜１２０４が割り付けて表示される。各撮像番号の範囲１２０１〜１２０４には、サブグループでの撮像順の最初の画像データの撮像番号と、最後の撮像番号との組み合わせで構成される。たとえばグループＢに対応する撮像番号の範囲１２０２は、図２に対応させて「２１枚目から５５枚目」と表示される。グループＣに対応する撮像番号の範囲１２０３は、図２に対応させて「４６枚目から８０枚目」と表示される。表示手段としての表示デバイス１０６は、表示するサブグループに対して、それぞれに含まれる複数の画像データについての撮像番号を、対応付けて表示する。表示デバイス１０６は、表示するサブグループに対して、それぞれに含まれる撮像順の最初の画像データの撮像番号と、最後の画像データの撮像番号とを、対応付けて表示する。並べて表示される複数のサブグループに対して、それぞれの範囲が表示されることにより、ユーザは、４６枚目から５５枚目の画像データがグループＢおよびグループＣの両方に分類されていることを把握できる。表示されている１つのサブフォルダのサムネイル画像をユーザが削除選択すると、ＣＰＵ１０４は、削除指定されたサブグループを記録媒体１０７から削除する。ＣＰＵ１０４は、たとえば図７のステップＳ４０３、Ｓ７０３、Ｓ４０５の処理により、削除選択されたサブグループを記録媒体１０７から削除する。これにより、削除対象のサブグループに含まれる複数の画像データは、他のサブグループに共通して含まれる画像データを除いて、記録媒体１０７から削除される。
【００２８】
以上のように、本実施形態では、一度の連続撮像で撮像された複数の画像データのすべてを、同一の連写グループに分類し、さらに、連写グループの内部で複数のサブグループに分類する。また、本実施形態では、複数の画像データに対して、撮像順での撮像番号を付加する。これにより、ユーザは、連写グループの単位で複数の画像データを削除をしたり、サブグループの単位で複数の画像データを削除したり、画像データの単位で削除したりできる。ユーザの画像データ削除の手間を低減することができる。また、本実施形態では、サブグループの単位で複数の画像データを削除する場合には、他のサブグループと重複する画像データについては、削除せずに残す。よって、ユーザが意図しない画像データまで削除してしまうリスクを低減することができる。なお、本実施形態では、画像データに対して、連写グループの情報、撮像番号、サブグループの情報をその順番で付加している。これらの情報は、異なる順番で画像データに付加されてよい。また、本実施形態では、サブグループについて撮像番号の範囲を表示しているが、最初の撮像番号のみを表示しても、最後の撮像番号のみを表示してもよい。
【００２９】
以上、本発明をその好適な実施形態に基づいて詳述してきたが、本発明はこれら特定の実施形態に限られるものではなく、この発明の要旨を逸脱しない範囲の様々な形態も本発明に含まれる。
【００３０】
本発明は、上述の実施の形態の１以上の機能を実現するプログラムを、ネットワークや記録媒体を介してシステムや装置に供給し、そのシステム又は装置のコンピュータの１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００３１】
１００  撮像装置
１０４  ＣＰＵ
１０５  メモリ
１０６  表示デバイス
１０７  記録媒体
１１２  画像グループ付加部
１１４  表示制御部
１１６  画像グループ削除部
１１７  画像削除部
１１８  画像情報反映部
３０１〜３１２，８０１，８０２  画像データ
６０１  削除処理選択部
９０１  連写グループ付加部
９０２  撮像番号付加部
【図１】
2020137060.tif 000003
【図２】
2020137060.tif 000004
【図３】
2020137060.tif 000005
【図４】
2020137060.tif 000006
【図５】
2020137060.tif 000007
【図６】
2020137060.tif 000008
【図７】
2020137060.tif 000009
【図８】
2020137060.tif 000010
【図９】
2020137060.tif 000011
【図１０】
2020137060.tif 000012
【図１１】
2020137060.tif 000013
【図１２】
2020137060.tif 000014